(57)【要約】【課題】本考案は、簡易な構成により耳朶に当接力を付与可能な耳装着具を提供することを目的の一つとする。【解決手段】耳装着具１０は、耳朶６２の付け根６２ｂに当接力を付与するための耳装着具であって、耳介６６の上部の顔側の付け根６６ｂに係合する上部係合部１２と、耳６０の後面で翳風６４の窪みに当接する翳風当接部１６と、耳朶６２の顔側の付け根６２ｂに係合する耳朶係合部２０と、耳６０の前面に当接する前面当接部２４と、上部係合部１２と翳風当接部１６とを繋ぐ第１接続部１４と、翳風当接部１６と耳朶係合部２０とを繋ぐ第２接続部１８と、耳朶係合部２０と前面当接部２４とを繋ぐ第３接続部２２と、を備える。【選択図】図１
0003224664.tif 000002
【実用新案登録請求の範囲】
【請求項１】
耳朶の付け根に当接力を付与するための耳装着具であって、
耳介の上部の顔側の付け根に係合する上部係合部と、
耳の後面で翳風の窪みに当接する翳風当接部と、
前記耳朶の顔側の付け根に係合する耳朶係合部と、
前記耳の前面に当接する前面当接部と、
前記上部係合部と前記翳風当接部とを繋ぐ第１接続部と、
前記翳風当接部と前記耳朶係合部とを繋ぐ第２接続部と、
前記耳朶係合部と前記前面当接部とを繋ぐ第３接続部と、
を備えることを特徴とする耳装着具。
【請求項２】
前記翳風当接部は前記翳風に掛着する形状を有することを特徴とする請求項１に記載の耳装着具。
【請求項３】
装着状態で正面からみたとき、前記翳風当接部の当接領域と前記前面当接部の当接領域とは少なくとも一部で重複していることを特徴とする請求項１または２に記載の耳装着具。
【請求項４】
装着状態で正面からみたとき、前記耳朶を捻るように、前記翳風当接部の当接領域の中心は前記前面当接部の当接領域の中心からオフセットしていることを特徴とする請求項３に記載の耳装着具。
【請求項５】
前記翳風当接部は、曲折された線状の部材で形成され、前記翳風の窪みに当接する曲折部を有することを特徴とする請求項１から４のいずれかに記載の耳装着具。
【請求項６】
前記第１接続部と、前記翳風当接部と、前記第２接続部と、前記耳朶係合部と、前記第３接続部と、はスプリング性を有する線状の部材で一体に形成されていることを特徴とする請求項１から５のいずれかに記載の耳装着具。
【請求項７】
前記翳風当接部の表面は、チタン、サージカルステンレス、金、銀およびプラチナの中から選択される１以上の金属で形成されることを特徴とする請求項１から６のいずれかに記載の耳装着具。
【考案の詳細な説明】
【技術分野】
【０００１】
本考案は、人の耳に装着するための耳装着具に関する。
【背景技術】
【０００２】
耳に装着して耳のツボを刺激する器具が知られている。例えば、特許文献１には、リング状の振動体を耳介道の入口付近の耳甲介腔部に挿入し振動させることにより耳介の内側にあるツボを刺激する健康器具が記載されている。特許文献１の健康器具では、リング状の振動体が圧電または電磁方式で励振され、音響振動を発生し、振動体の外周部に設けた突起によってツボを集中的に刺激するように構成されている。
【先行技術文献】
【特許文献】
【０００３】
【特許文献１】特開２００８−１２０９３号公報
【考案の概要】
【考案が解決しようとする課題】
【０００４】
考案者は、人の耳に装着される装着具について研究し、耳朶の付け根に当接力を付与することにより、頬や目尻が持ち上げられ、多くの場合に顔つきが改善されるとの知見を得た。しかしながら、特許文献１に記載の健康器具は、耳朶に作用を与える構成を有していない。
【０００５】
本考案の目的は、このような課題に鑑みてなされたもので、簡易な構成により耳朶に当接力を付与可能な耳装着具を提供することにある。
【課題を解決するための手段】
【０００６】
上記課題を解決するために、本考案のある態様の耳装着具は、耳朶の付け根に当接力を付与するための耳装着具であって、耳介の上部の顔側の付け根に係合する上部係合部と、耳の後面で翳風の窪みに当接する翳風当接部と、耳朶の顔側の付け根に係合する耳朶係合部と、耳の前面に当接する前面当接部と、上部係合部と翳風当接部とを繋ぐ第１接続部と、翳風当接部と耳朶係合部とを繋ぐ第２接続部と、耳朶係合部と前面当接部とを繋ぐ第３接続部と、を備える。
【０００７】
なお、以上の構成要素の任意の組み合わせや本考案の構成要素や表現を、方法、装置、システムなどの間で相互に置換したものもまた、本考案の態様として有効である。
【考案の効果】
【０００８】
本考案によれば、簡易な構成により耳朶に当接力を付与可能な耳装着具を提供することができる。
【図面の簡単な説明】
【０００９】
【図１】実施の形態に係る耳装着具を耳に装着した状態を示す装着図である。
【図２】図１の耳装着具を耳に装着した状態を示す別の装着図である。
【図３】図１の耳装着具の正面図である。
【図４】図１の耳装着具の背面図である。
【図５】第１変形例に係る前面当接部を有する耳装着具の正面図である。
【図６】第２変形例に係る前面当接部を有する耳装着具の正面図である。
【図７】図１の耳装着具を耳に装着した状態の顔つきの変化の一例を示す模式図である。
【考案を実施するための形態】
【００１０】
はじめに実施形態に係る耳装着具の概要について説明する。わが国は、現在男女ともに世界屈指の長寿国となっており、高齢人口の増加とともに美容改善に関するニーズが高まっている。本考案者は、装着具を装着することによって顔つきを改善する観点から、多くの実証実験を重ね、耳朶の顔側の付け根に頭頂側に向かう当接力を付与することにより顔つきを改善し得ることを見出した。具体的には、耳朶の付け根に上向の力を付与し続けることにより、例えば１０分から２０分程度で、頬の位置や目尻の位置が徐々に上昇し、顔の輪郭がシャープに見えるようになることを見出した。このような変化は多くの人にとって顔つきの改善につながる。
【００１１】
この効果は、耳朶の付け根に当接力が付与されたことにより耳朶の周辺の皮膚や神経が刺激され、外側翼突筋など一部の筋肉が収縮することによって生じているものと考えられる。また、耳朶周辺には、いわゆるツボと称される経穴が散在しており、その経穴が刺激されることにより効果を生じている可能性も考えられる。
【００１２】
また、耳装着具が自重で簡単に外れると、日常の活動に支障をきたす。このため装着具を耳介の上下から強く接触させることが考えられるが、この場合その接触部分が痛くなることがある。そこで本実施形態は、耳の後面で翳風の窪みに当接する翳風当接部と、耳朶の前面に当接する前面当接部とを有する。翳風当接部が翳風の窪みに嵌まることにより、耳装着具の落下を抑制できる。以下の説明において、本考案の例示的な構成を実施形態を例に示す。
【００１３】
以下、本考案を好適な実施形態をもとに各図面を参照しながら説明する。実施形態および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１４】
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１５】
なお、以下の説明において、「平行」、「垂直」は、完全な平行、垂直だけではなく、誤差の範囲で平行、垂直からずれている場合も含むものとする。また、「略」は、おおよその範囲で同一であるという意味である。
【００１６】
［実施の形態］
以下、図面を参照して、本考案に係る実施の形態の構成について説明する。図１は、実施の形態に係る耳装着具１０を耳６０に装着した状態を示す正面視の装着図である。図２は、耳装着具１０を耳６０に装着した状態を示す背面視の装着図である。図３は、耳装着具１０の正面図である。図４は、耳装着具１０の背面図である。
【００１７】
本実施形態の耳装着具１０は、耳朶６２の付け根６２ｂに当接力を付与するための耳装着具である。耳装着具１０は、顔つきを改善するために顔から張出す耳６０に装着される。耳装着具１０は、上部係合部１２と、翳風当接部１６と、耳朶係合部２０と、前面当接部２４と、第１接続部１４と、第２接続部１８と、第３接続部２２とを主に含む。
【００１８】
上部係合部１２は、耳介６６の上部の顔側の付け根に係合する。翳風当接部１６は、耳の後面で翳風６４の窪みに当接する。耳朶係合部２０は、耳朶６２の顔側の付け根に係合する。前面当接部２４は、耳６０の前面に当接する。第１接続部１４は、上部係合部１２と翳風当接部１６とを繋ぐ。第２接続部１８は、翳風当接部１６と耳朶係合部２０とを繋ぐ。第３接続部２２は、耳朶係合部２０と前面当接部２４とを繋ぐ。以下、各部について詳述する。
【００１９】
（上部係合部）
上述したように、上部係合部１２は、耳介６６の上部の顔側の付け根６６ｂに係合するための部分である。上部係合部１２の形状は、付け根６６ｂに係合可能なものであれば特に限定されない。上部係合部１２は、様々な形状であってもよい。本実施形態の上部係合部１２は、曲折された線状の部材で金属材料で形成されている。図１では、上部係合部１２は、下向きに開いた大きなＵ字形状を有し、Ｕ字形状の底部が付け根６６ｂに係合している。上部係合部１２は、金属材料の他に樹脂材料や自然由来の材料（木や石など）で形成されてもよい。
【００２０】
上部係合部１２の先端側が、耳や顔に当たると痛感を与える懸念がある。そこで、本実施形態では、上部係合部１２の先端側に、基端側につながる部分より膨らんだ膨らみ部１２ｇが設けられている。膨らみ部１２ｇの形状に限定はないが、本実施形態の膨らみ部１２ｇは楕円をその長軸周りに回転させて得られる回転楕円体形状（例えば、ラグビーボール形状）を呈する。膨らみ部１２ｇは、回転楕円体形状の他に球形状、折り曲げ形状を有してもよい。膨らみ部１２ｇを有することにより、上部係合部１２が付け根６６ｂから外れにくくなり、耳装着具１０の位置を安定化できる。膨らみ部１２ｇの基端側は上部係合部１２の先端側に接続される。図１の例では、膨らみ部１２ｇは、上部係合部１２と一体ｂに金属材料で形成されている。膨らみ部１２ｇは、金属材料の他に樹脂材料や自然由来の材料（木や石など）で形成されてもよい。膨らみ部１２ｇは、上部係合部１２と別途に形成されて接続されてもよい。
【００２１】
（翳風当接部）
上述したように、翳風当接部１６は、耳の後面で翳風６４の窪みに当接するための部分である。なお、翳風６４は、耳朶６２の後面で乳様突起と下顎枝（かがくし）の間の窪み（陥凹部）である。翳風当接部１６の形状は、翳風６４の窪みに当接可能なものであれば特に限定されない。翳風当接部１６は、様々な形状であってもよい。本実施形態の翳風当接部１６は、曲折された線状の部材で金属材料で形成され、翳風６４の窪みに当接する曲折部１６ｂを有する。図２では、曲折部１６ｂは、斜め下向きに開いたΩ字形状を有しており、Ω字形状の頭部が翳風６４に当接するように構成されている。翳風当接部１６は、金属材料の他に樹脂材料や自然由来の材料で形成されてもよい。翳風当接部１６は、基端側につながる部分より膨らんだ膨らみ部を有してもよい。この膨らみ部は、曲折形状の他に球形状などでもよいし、翳風６４に当接する部分が凸曲面を有してもよい。
【００２２】
上述したように、耳装着具が自重で簡単に外れると、日常活動中に簡単に外れるので、ユーザは外れないように注意していなければならず煩わしい。外れにくくするために、上下から耳介を強く押さえることが考えられるが、この場合、耳に圧迫感を与えるおそれがある。そこで、本実施形態の翳風当接部１６は、翳風６４に掛着する形状を有する。つまり、翳風当接部１６は、翳風６４の窪みに入り込んで、引っ掛かるように取り付けできる。この構成により、耳装着具１０は、日常活動中に外れる可能性を低くできる。
【００２３】
翳風６４における金属アレルギーを抑制するため、翳風当接部１６の表面は金属アレルギーを生じ難い材料で形成されてもよい。このような金属として、チタン、サージカルステンレス、金、銀およびプラチナ等が挙げられる。翳風当接部１６の表面は、これらの中から選択される１以上の金属で形成されてもよい。
【００２４】
（耳朶係合部）
上述したように、耳朶係合部２０は、耳朶６２の付け根６２ｂに係合するための部分である。耳朶係合部２０の形状は、付け根６２ｂに係合可能なものであれば特に限定されない。耳朶係合部２０は、様々な形状であってもよく、例えば、付け根６２ｂに掛かるカギ型の形状を有してもよい。本実施形態の耳朶係合部２０は、曲折された線状の部材で金属材料で形成され、付け根６２ｂ当接する屈曲部２０ｆを有する。図１では、屈曲部２０ｆは、上向きに開いたＵ字またはＶ字形状を有しており、Ｕ字またはＶ字形状の底部が付け根６２ｂに係合している。耳朶係合部２０は、金属材料の他に樹脂材料や自然由来の材料で形成されてもよい。屈曲部２０ｆは、例えば、フック形状などＵ字またはＶ字形状とは別の形状を有してもよい。
【００２５】
屈曲部２０ｆの一端は、第２接続部１８の下端に接続され、他端は第３接続部２２の下端に接続される。耳朶係合部２０は、金属材料に代えて、汎用エンジニアリングプラスチックなどの樹脂で形成できる。この場合、表面に金属光沢など所望の光沢が与えられてもよい。
【００２６】
（前面当接部）
上述したように、前面当接部２４は、耳６０の前面に当接するための部分である。本実施形態の前面当接部２４は、耳朶６２の前面に当接する。前面当接部２４の形状は、耳６０の前面に当接可能なものであれば特に限定されない。前面当接部２４は、様々な形状であってもよい。
【００２７】
前面当接部２４の先端側が、耳６０や顔に当たると痛感を与える懸念がある。そこで、本実施形態では、前面当接部２４の当接面に、耳６０との接触圧を緩和する接触圧緩和部２４ｇが設けられている。接触圧緩和部２４ｇの形状に限定はないが、本実施形態の前面当接部２４は球体であり、接触圧緩和部２４ｇは球体の凸曲面である。接触圧緩和部２４ｇを有することにより、痛感が緩和され長時間の着用が容易になる。
【００２８】
本実施形態の前面当接部２４は、樹脂材料で形成されており、接着などの接続手段により第３接続部２２の先端に接続されている。前面当接部２４は、樹脂材料に代えて、金属材料や自然由来の材料（石、木、動物の歯や骨など）などで形成できる。
【００２９】
前面当接部２４の第１変形例を説明する。図５は、第１変形例に係る前面当接部２４を有する耳装着具１０の正面図である。第１変形例の前面当接部２４は、楕円をその長軸周りに回転させて得られる回転楕円体形状を呈する。前面当接部２４は、球体形状や回転楕円体形状の他に様々な形状を有してもよいし、耳とは反対側は、平坦面、凹曲面の他、任意の形状を有してもよい。第１変形例の前面当接部２４は、金属材料や樹脂材料で形成できる。
【００３０】
前面当接部２４の第２変形例を説明する。図６は、第２変形例に係る前面当接部２４を有する耳装着具１０の正面図である。第２変形例の前面当接部２４は、略楕円形に曲折された線状の部材で金属材料で形成されている。図６の前面当接部２４は、正面視でギリシャ文字のρ字形状を有する。第２変形例の前面当接部２４は、金属材料の他に樹脂材料で形成されてもよい。
【００３１】
（接続部）
第１接続部１４は、上部係合部１２と翳風当接部１６とを繋ぐために概ね上下に延びる線状の部分である。第２接続部１８は、翳風当接部１６と耳朶係合部２０とを繋ぐために、斜め下に延びる部分である。第３接続部２２は、耳朶係合部２０と前面当接部２４とを繋ぐために斜め上に延びる部分である。本実施形態の第１、第２、第３接続部１４、１８、２２は、所定形状に曲折された線状の部材で金属材料で形成されている。
【００３２】
耳形状の個人差に対応するために、耳装着具１０はスプリング性を有することが望ましい。そこで、本実施形態では、第１接続部１４と、翳風当接部１６と、第２接続部１８と、耳朶係合部２０と、第３接続部２２とはスプリング性を有する線状の部材で一体に形成されている。それぞれの部分が柔軟性を備えるので、耳形状の個人差に対応できる。また、容易に装着可能な耳装着具１０を提供できる。
【００３３】
第１、第２、第３接続部１４、１８、２２が伸縮性や可撓性を全く有しない場合、長時間使用したときに耳６０が痛くなる可能性がある。このため、第１、第２、第３接続部１４、１８、２２は、伸縮性または可撓性を有する柔軟な素材で形成してもよい。第１、第２、第３接続部１４、１８、２２は、サージカルステンレスの一種であるＳＵＳ３１６Ｌで形成される。第１、第２、第３接続部１４、１８、２２は、表面に樹脂層を有してもよいし、表面に樹脂製のチューブを被せてもよい。
【００３４】
耳装着具は、脱落し難いことが望ましい。そこで、本実施形態では、図１に示すように、装着状態で正面からみたとき、翳風当接部１６の当接領域と前面当接部２４の当接領域とは少なくとも一部で重複するように構成されている。翳風当接部１６と前面当接部２４の重複領域で耳朶６２を挟むことにより、脱落防止を図れる。
【００３５】
耳装着具は、装着時に圧迫感が小さいことが望ましい。そこで、本実施形態では、図１に示すように、装着状態で正面からみたとき、耳朶６２を捻るように、翳風当接部１６の当接領域の中心は前面当接部２４の当接領域の中心からオフセットするように構成されている。この構成により互いの当接力の方向をズレさせることが可能になり、荷重の集中を緩和して装着時の圧迫感が小さくなる。また、耳朶６２が捻られることにより、耳朶６２が翳風当接部１６または前面当接部２４に接触する面積が大きくなるため、摩擦力が増えて脱落防止に一層有利になる。オフセット方向に制限はないが、図１の例では、翳風当接部１６の当接領域の中心は前面当接部２４の当接領域の中心から、上方で顔から離れる方向にオフセットしている。
【００３６】
次に、このように構成された本実施形態の耳装着具１０の使用結果を説明する。図７は、耳装着具１０を耳６０に装着した状態の顔つきの変化の一例を示す模式図である。図７では、比較のため左耳に耳装着具１０を装着し、右耳には何も装着していない状態を示している。この図では、耳装着具１０を装着してから２０分経過後の時点の顔つきを示している。図７の符号Ｄ、Ｅ、Ｆに示すように、左耳に耳装着具１０を装着したことにより、左目尻７６ｂが右目尻７６ｃより上方に位置し、左頬７６ｄが右頬７６ｅより上方に位置し、左口角７６ｆが右口角７６ｇより上方に位置している。両耳それぞれに耳装着具１０を装着した場合には、両方の目尻、頬、口角が上昇する効果を生じた。このような効果は、耳装着具１０を装着している間は連続して保持され、耳装着具１０を耳から外すことにより徐々に消えて装着前の状態に戻った。
【００３７】
次に、本実施形態の耳装着具１０の特徴を説明する。本実施形態の耳装着具１０は、耳朶６２の付け根６２ｂに当接力を付与するための耳装着具であって、耳介６６の上部の顔側の付け根６６ｂに係合する上部係合部１２と、耳６０の後面で翳風６４の窪みに当接する翳風当接部１６と、耳朶６２の顔側の付け根６２ｂに係合する耳朶係合部２０と、耳６０の前面に当接する前面当接部２４と、上部係合部１２と翳風当接部１６とを繋ぐ第１接続部１４と、翳風当接部１６と耳朶係合部２０とを繋ぐ第２接続部１８と、耳朶係合部２０と前面当接部２４とを繋ぐ第３接続部２２と、を備える。
【００３８】
この形態によれば、耳朶６２の付け根に当接力を付与することができる。耳朶６２の付け根に当接力を付与することにより、使用者の顔つきの変化が期待できる。特に、耳装着具１０を装着しない場合に比べて、目尻、頬、口角などの顔のパーツのいずれかの位置がアップするいわゆるフェースアップ効果が期待できる。また、翳風当接部１６を有することにより、耳装着具１０が外れにくくなる。
【００３９】
本実施形態では、翳風当接部１６は、翳風６４に掛着する形状を有する。この場合、翳風当接部１６が翳風６４の窪みに入り込んで引っ掛かるように取り付けできる。このため、耳装着具１０は、日常活動中に外れる可能性を低くできる。
【００４０】
本実施形態では、装着状態で正面からみたとき、翳風当接部１６の当接領域と前面当接部２４の当接領域とは少なくとも一部で重複している。翳風当接部１６と前面当接部２４の重複領域が耳朶６２を挟むことにより、脱落防止を図れる。
【００４１】
本実施形態では、装着状態で正面からみたとき、耳朶６２を捻るように、翳風当接部１６の当接領域の中心は前面当接部２４の当接領域の中心からオフセットしている。この構成により、互いの当接力の方向をズレさせて荷重の集中を緩和できる。また、耳朶６２が捻られるので、翳風当接部１６または前面当接部２４の耳朶６２への接触面積が増えるので、脱落防止に有利になる。
【００４２】
本実施形態では、翳風当接部１６は、曲折された線状の部材で形成され、翳風６４の窪みに当接する曲折部１６ｂを有する。この場合、翳風６４との接触面積を増やし、荷重の集中を緩和し、装着時の違和感を低減できる。
【００４３】
本実施形態では、第１接続部１４と、翳風当接部１６と、第２接続部１８と、耳朶係合部２０と、第３接続部２２と、はスプリング性を有する線状の部材で一体に形成されている。この場合、それぞれの部分が柔軟性を備えるので、耳形状の個人差に対応できる。
【００４４】
本実施形態では、翳風当接部１６の表面は、チタン、サージカルステンレス、金、銀およびプラチナの中から選択される１以上の金属で形成されている。この場合、翳風６４における金属アレルギーを抑制できる。
【００４５】
以上、本考案の実施形態をもとに説明した。これらの実施形態は例示であり、いろいろな変形および変更が本考案の実用新案登録請求の範囲内で可能なこと、またそうした変形例および変更も本考案の実用新案登録請求の範囲にあることは当業者に理解されるところである。従って、本明細書での記述および図面は限定的ではなく例証的に扱われるべきものである。
【００４６】
以下、変形例について説明する。変形例の図面および説明では、実施形態と同一または同等の構成要素、部材には、同一の符号を付する。実施形態と重複する説明を適宜省略し、実施形態と相違する構成について重点的に説明する。
【００４７】
［変形例］
実施の形態の説明では、第１接続部１４がシームレスに連続する部材である例を示したが、本考案はこれに限定されない。例えば、第１接続部１４は、複数に分割され連結手段（不図示）によって連結されてもよい。また、各部は別々に製造されて連結されてもよい。
【００４８】
実施の形態の説明では、第１接続部１４が固定長である例を示したが、本考案はこれに限定されない。例えば、第１接続部１４は、長さが可変に構成されてもよい。この場合、対応可能な耳の大きさの範囲を拡大できる。
【００４９】
実施の形態の説明では、上部係合部１２が膨らみ部１２ｇを有する例を示したが、本考案はこれに限定されない。上部係合部１２はフック形状のフック部を有してもよい。
【００５０】
上述の各変形例は、実施の形態と同様の作用・効果を奏する。
【００５１】
上述した実施形態同士および実施形態と変形例の任意の組み合わせもまた本考案の実施形態として有用である。組み合わせによって生じる新たな実施形態は、組み合わされる実施形態および変形例それぞれの効果をあわせもつ。
【符号の説明】
【００５２】
１０  耳装着具、  １２  上部係合部、  １２ｇ  膨らみ部、  １４  第１接続部、  １６  翳風当接部、  １６ｂ  曲折部、  １８  第２接続部、  ２０  耳朶係合部、  ２０ｆ  屈曲部、  ２２  第３接続部、  ２４  前面当接部、  ２４ｇ  接触圧緩和部、  ６０  耳、  ６２  耳朶、  ６２ｂ  付け根、  ６４  翳風、  ６６  耳介、  ６６ｂ  付け根。
【図１】
0003224664.tif 000003
【図２】
0003224664.tif 000004
【図３】
0003224664.tif 000005
【図４】
0003224664.tif 000006
【図５】
0003224664.tif 000007
【図６】
0003224664.tif 000008
【図７】
0003224664.tif 000009